(57)【要約】【課題】ディスク駆動装置をフレームに取り付ける際、両者間に介在するダンパーを変形させることなくフレームへ装着し、組立て作業性を向上し作業能率を向上する。【解決手段】ディスク駆動装置の取り付け装置は、ハードディスク装置１を支持するフレーム２、ハードディスク装置１を緩衝支持するダンパー３、ハードディスク装置１とフレーム２を連結する取り付けネジ４で構成される。ダンパー３は、ゴム、エラストマ樹脂からなり、ラジアル方向の振動・衝撃に対する第１緩衝部（筒形状緩衝部）３ａ、スラスト方向の振動・衝撃に対する第２緩衝部（板状緩衝部）３ｂ、及びハードディスク装置１の底面とフレーム２の底面間に隙間６を確保するための受け部３ｃが一体に形成されており、第１の緩衝部３ａはフレーム２の取り付け穴２ｂに取付ける際、ダンパー３を変形させずに挿入可能である。【選択図】図２
2006107661.tif 000002
【特許請求の範囲】
【請求項１】
ディスク駆動装置とフレーム間に介在し、取り付けネジにより取り付けられるディスク駆動装置取り付け用ダンパーにおいて、該ダンパーは、前記フレームに取り付ける際、前記フレームの取り付け穴に変形させずに挿入可能な筒形状緩衝部と、前記ディスク駆動装置の底面と前記フレームとの間に所定の隙間を形成する受け部が一体に形成されることを特徴とするディスク駆動装置取り付け用ダンパー。
【請求項２】
請求項１に記載のディスク駆動装置取り付け用ダンパーにおいて、前記筒形状緩衝部は、ラジアル方向の振動・衝撃を緩和し、前記筒形状緩衝部と受け部間にスラスト方向の振動・衝撃を緩和する板状緩衝部が形成されることを特徴とするディスク駆動装置取り付け用ダンパー。
【請求項３】
請求項１または２に記載のディスク駆動装置取り付け用ダンパーにおいて、前記筒形状緩衝部は前記ディスク駆動装置の側面を支持し、前記受け部は前記ディスク駆動装置の底面を支持し前記ディスク駆動装置の底面とフレームの底面との間に所定の隙間を形成することを特徴とするディスク駆動装置取り付け用ダンパー。
【請求項４】
請求項１乃至３いずれかに記載のディスク駆動装置取り付け用ダンパーにおいて、該ダンパーの少なくとも一部分が前記フレームの底面を貫通して突出することを特徴とするディスク駆動装置取り付け用ダンパー。
【請求項５】
請求項４に記載のディスク駆動装置取り付け用ダンパーにおいて、前記フレームの底面を貫通して突出する部分は、前記フレームの底面に形成された貫通孔より大きく、前記ダンパーが前記貫通孔から抜出しないように形成されていることを特徴とするディスク駆動装置取り付け用ダンパー。
【請求項６】
請求項１または２に記載のディスク駆動装置取り付け用ダンパーにおいて、前記受け部は前記ディスク駆動装置の質量を支持し、各方向からの振動・衝撃による振動減衰時間を均一化することを特徴とするディスク駆動装置取り付け用ダンパー。
【請求項７】
ディスク駆動装置を支持するフレームと、前記ディスク駆動装置を緩衝支持するダンパーと、前記ディスク駆動装置とフレームを連結支持する取付ネジとから構成されるディスク駆動装置の取り付け装置において、前記ダンパーは、ラジアル方向の振動・衝撃に対する筒形状緩衝部、スラスト方向の振動・衝撃に対する板状緩衝部及び前記ディスク駆動装置の底面と前記フレームの底面間に所定の隙間を形成する受け部が一体に形成され、前記筒形状緩衝部は前記フレームの取り付け穴に取付ける際、前記ダンパーを変形させずに挿入可能であることを特徴とするディスク駆動装置の取り付け装置。
【発明の詳細な説明】
【技術分野】
【０００１】
本発明は、ディスク駆動装置取り付け用ダンパー、及びディスク駆動装置の取り付け装置に関し、さらに詳しくは、ハードディスク装置のようなディスク駆動装置を利用したＡＶ機器等の記録再生装置、情報処理装置等の電子機器において、ディスク駆動装置をダンパーを介してフレームに取り付ける際の組立性を改善するとともにディスク駆動装置に対する緩衝効果を改善する技術に関する。
【背景技術】
【０００２】
ＡＶ信号を記録しその信号を再生する記録再生装置、情報処理装置等の電子機器において、内蔵するハードディスク装置等のディスク駆動装置は、外部からの振動や衝撃を緩和する手段として、またディスク駆動装置からの振動や衝撃が外部へ伝達しないようにする手段として、ハードディスク装置本体と取り付けフレーム間にダンパーを介在することが行われている。この場合のダンパーは、ゴム又はエラストマ系の弾性材料を成型加工したもので、取り付けフレームに設けたダンパー取り付け用穴に嵌入し、取り付けビスを介してハードディスク装置を支持している。
【０００３】
本発明に関連したディスク駆動装置取り付け装置の従来例として、次のような技術が知られている。
特許文献１の防振装置は、支持体の側に設けられた取り付け穴に嵌合する筒状のゴム弾性体と、ハードディスク装置にねじ込み固定されるねじ部材とから構成され、防振装置を取り付けフレームに装着する際の取り付け性を良好にするとともに防振装置の低コスト化を図ったものである。
【０００４】
特許文献２のディスク駆動装置用固定構造は、ハードディスク駆動装置と、ハードディスク駆動装置を支持する金属製のフレームと、合成樹脂製の発泡体からなるホルダとからなり、ホルダはフレームに嵌め込むことで固定されるとともに、ハードディスク駆動装置の少なくとも一部を取り外し可能に取り囲んだ状態で保持しており、ディスク駆動装置からフレームへの振動伝達を確実に遮断するとともに、ディスク駆動装置の着脱作業を簡単に行えるようにしたものである。
【０００５】
特許文献３の電子機器向け内蔵ユニット用緩衝部材は、ハードディスク駆動装置（ＨＤＤ）のような内蔵ユニットと筐体の内壁面との間に衝撃吸収体が挟み込まれる。この衝撃吸収体は、筐体の内壁面に受け止められる外端と、ＨＤＤを受け止める内端との間に小径部、すなわちくびれが形成され、筐体に大きな衝撃が加わると、衝撃吸収体はくびれで破断し、衝撃エネルギは十分に消費される結果、ＨＤＤは衝撃から保護されるものである。
【０００６】
特許文献４の磁気記録再生装置カートリッジは、磁気記録再生装置カートリッジを構成する際に、上蓋と下蓋の内面に弾性衝撃吸収体を配置し、上下の弾性衝撃吸収体の間にハードディスク装置を配置して、情報処理装置の本体の収納部に脱着自在な函状に形成し、前記収納部の内壁などに押圧されて互いに接近離間する上蓋と下蓋とによって、弾性衝撃吸収体の圧縮率を形状記憶合金製の支持部材を利用して変更し、支持剛性を変更可能とするもので、硬度の低い材料よりなる弾性衝撃吸収体を用いることにより、ハードディスク装置の非動作時に求められる耐衝撃性能を満足させ、耐振性能が求められる動作時には、弾性衝撃吸収体を圧縮することにより、見かけ上の硬度を高くして、耐振性能を向上させることができるものである。
【０００７】
また、図４〜６は、特許文献１〜４に開示された例と異なる従来例を示す図であって、図４は、従来例におけるハードディスク装置とフレームの取り付け構造を示す斜視図、図５は、図４の取り付け部分を拡大して示す断面図、図６は、ダンパーを拡大して示す斜視図である。
図４に示すように、ハードディスク装置１１を内蔵した従来のＡＶ機器等の記録再生装置、情報処理装置等の電子機器においては、ハードディスク装置１１はフレーム１２の側板１２ａにハードディスク装置１１の側面板１１ａに取り付けネジ１４を用いて取り付けられている。ハードディスク装置１１を電子機器のフレーム１２に取り付ける際、フレーム側からの振動や衝撃を緩和し、またハードディスク装置１１内の磁気ディスクの回転に伴う振動がフレーム側に伝わらないようにするため、ハードディスク装置１１とフレーム１２の間にダンパー１３が設置される。
【０００８】
ダンパー１３は、図６に示すように、フレーム１２の側板１２ａに形成された取り付け穴１２ｂに嵌合するための環状溝１３ａと取り付けネジ１４を通すための取り付けネジ穴１３ｂが形成されている。ダンパー１３は、図４に示すようにフレーム１２に必要数装着（図４の例は４個装着を想定しているが、図４では２個のみ示している）した後、ハードディスク装置１１を位置合わせし、取り付けネジ１４を用いて取付ける。ダンパー１３は、ゴムやエラストマ樹脂製のため摩擦係数が高く、取り付けネジ１４と接触するダンパー１３が変形することが考えられるが、必要に応じ平ワッシャ１５等を使用し防止することが可能である。
【０００９】
図５は、ハードディスク装置１１の取り付け状態の部分断面を示しているが、フレーム１２に設けた取り付け穴１２ｂの径に見合ったサイズにダンパー１３を変形させながら嵌入することになる。また、空気流路となるハードディスク装置１１底部の隙間１６を確保したり、スムーズな組立てを行うためにはスペーサを追加して取り付けたり、組立て治具を使用して取り付ける等の対応が必要となる。
【特許文献１】実開平６−３２７８８号公報
【特許文献２】特開２００２−９３１３９号公報
【特許文献３】特開２００１−３４５５６５号公報
【特許文献４】特開２００３−２９７０６８号公報
【発明の開示】
【発明が解決しようとする課題】
【００１０】
ハードディスク装置の側面を支持する緩衝部とハードディスク装置の底面を支持する緩衝部を一体に形成した取り付け用ダンパーは従来知られていない。前記したような従来技術におけるダンパーは、ハードディスク装置を緩衝支持し、且つハードディスク装置の温度上昇を防ぐために、ハードディスク装置の底部に放熱用空気を流通させる隙間を確保する機能を持っているが、ダンパーと取り付けフレームの組立てやハードディスク装置とフレームの組立作業の面から非能率的であった。その理由は、ダンパーが環状溝を有しグロメットと同様の形状であるため、フレームに取り付ける際はダンパーを無理に変形させフレームの取り付け穴に嵌入することになり、自動化を行う際の難易度の点から手作業に頼らざるを得ない状況にある。
【００１１】
また、ハードディスク装置底部の隙間を確保するためにハードディスク装置がフレームの中間位置に取付けられるが、ダンパーによるフローティング構造を形成しようとする本構造においては、フレームと直接接触する取り付けガイド等は存在しない。したがって、組立て時の対策としてフレームにスペーサを貼付し、ハードディスク装置の底面を支持したり、治具で所定の隙間を確保して組み立てを行う工夫がなされているが、いずれの対応も組立て作業の工数増加や部品増加が生じ能率的でなかった。また、ハードディスク装置の質量の存在により、重力の加速度が作用する方向とその他の方向では、均一な振動減衰時間を得られない問題があった。
【００１２】
本発明は、前記したような事情に鑑みてなされたもので、ハードディスク装置等のディスク駆動装置をダンパーを介してフレームに取り付ける際、ダンパーを変形させることなくフレームへ装着することによって、組立て作業性を良好にして作業能率を向上することを目的とする。また、ダンパーをハードディスク装置及びフレームに取り付ける時に、受け部がフレームの底板に形成された取り付け穴に抜け止め状態に取り付けられ、ダンパーが固定されて容易に抜けないようにして、取付けネジ、平ワッシャ等の取付け作業を簡単にして、労務時間、作業コストの低減を可能にすることを目的とする。さらに、ダンパーのディスク駆動装置を支持する受け部が、ディスク駆動装置の質量を支持することにより振動減衰時間の均一化を行って、残留振動の低減を図り、ディスク駆動装置への書込み補償用バッファメモリの容量を小さくすることを副次的な目的とする。
【課題を解決するための手段】
【００１３】
本考案は、前記した問題点を解決するための手段を提供するもので、各請求項の発明は以下の構成を有する。
第１の技術手段は、ディスク駆動装置とフレーム間に介在し、取り付けネジにより取り付けられるディスク駆動装置取り付け用ダンパーにおいて、該ダンパーは、前記フレームに取り付ける際、前記フレームの取り付け穴に変形させずに挿入可能な筒形状緩衝部と、前記ディスク駆動装置の底面と前記フレームとの間に所定の隙間を形成する受け部が一体に形成されていることを特徴としたものである。
【００１４】
第２の技術手段は、第１の技術手段において、前記筒形状緩衝部は、ラジアル方向の振動・衝撃を緩和し、前記筒形状緩衝部と受け部間にスラスト方向の振動・衝撃を緩和する板状緩衝部が形成されることを特徴としたものである。
【００１５】
第３の技術手段は、第１または第２の技術手段において、前記筒形状緩衝部は前記ディスク駆動装置の側面を支持し、前記受け部は前記ディスク駆動装置の底面を支持し前記ディスク駆動装置の底面とフレームの底面との間に所定の隙間を形成することを特徴としたものである。
【００１６】
第４の技術手段は、第１乃至第３いずれかの技術手段において、該ダンパーの少なくとも一部分が前記フレームの底面を貫通して突出することを特徴としたものである。
【００１７】
第５の技術手段は、第４の技術手段において、前記フレームの底面を貫通して突出する部分は、前記フレームの底面に形成された貫通孔より大きく、前記ダンパーが前記貫通孔から抜出しないように形成されていることを特徴としたものである。
【００１８】
第６の技術手段は、第１または第２の技術手段において、前記受け部は前記ディスク駆動装置の質量を支持し、各方向からの振動・衝撃による振動減衰時間を均一化することを特徴としたものである。
【００１９】
第７の技術手段は、ディスク駆動装置を支持するフレームと、前記ディスク駆動装置を緩衝支持するダンパーと、前記ディスク駆動装置とフレームを連結支持する取付ネジとから構成されるディスク駆動装置の取り付け装置において、前記ダンパーは、ラジアル方向の振動・衝撃に対する筒形状緩衝部、スラスト方向の振動・衝撃に対する板状緩衝部及び前記ディスク駆動装置の底面と前記フレームの底面間に所定の隙間を形成する受け部が一体に形成され、前記筒形状緩衝部は前記フレームの取り付け穴に取付ける際、前記ダンパーを変形させずに挿入可能であることを特徴とする。
【発明の効果】
【００２０】
本発明により以下のような効果がもたらされる。
ディスク駆動装置をフレームに取り付ける際、ディスク駆動装置とフレーム間に介在するダンパーを変形させることなくフレームへの装着ができるため、組立て作業性が向上し作業能率が向上する。また、本発明のディスク駆動装置取り付け用ダンパーは、ラジアル方向の振動・衝撃に対する緩衝部、スラスト方向の振動・衝撃に対する緩衝部、及びディスク駆動装置を支持する受け部が合成して各方向からの振動・衝撃を緩和するが、特に受け部はハードディスクの質量を支持するよう厚み・硬度・面積等条件を最適化している。これにより振動・衝撃を受けた場合の重力の加速度に関わる質量の影響を少なくできることから略水平配置のハードディスク装置においては各方向からの振動・衝撃による振動減衰時間が略均一化することが可能となる。
【００２１】
また、ダンパーの受け部がディスク駆動装置の質量を支持することにより、振動減衰時間の均一化が可能であるため残留振動の低減が見込め、ディスク駆動装置への書込み補償用バッファメモリの容量を小さくすることが可能となる。さらに、ダンパーをディスク駆動装置、フレームに取り付ける時に、ダンパーの受け部に形成されたツメ部がフレームの底板に形成された貫通孔の口縁に係合して固定され容易に抜けないため、取付けネジ、平ワッシャ等の取付け作業が簡単になり、労務時間、作業コストの低減を可能とする。
【発明を実施するための最良の形態】
【００２２】
本発明は、ハードディスク装置等のディスク駆動装置をフレームに取り付ける際、ディスク駆動装置とフレーム間に介在するダンパーを変形させることなくフレームへ装着し、組立て作業性を向上し作業能率を向上することを目的とし、そのため、ディスク駆動装置の取り付け装置は、ハードディスク装置を支持するフレームと、ハードディスク装置を緩衝支持するダンパーと、ハードディスク装置とフレームを連結支持する取付ネジで構成される。ダンパーは、ゴム、エラストマ樹脂からなり、ラジアル方向の振動・衝撃に対する第１緩衝部（筒形状緩衝部）、スラスト方向の振動・衝撃に対する第２緩衝部、及びハードディスク装置の底面とフレームの底面間に所定の隙間を確保するための受け部が一体的に形成されており、ラジアル方向の第１の緩衝部はフレーム２の取り付け穴に取付ける際、ダンパーを変形させずに挿入可能な形状である。
【実施例１】
【００２３】
以下、本発明の実施例によるディスク駆動装置の取り付け装置について、図１〜３に基づいて説明する。
図１は、実施例１のハードディスク装置とフレームの取り付け構造を示す斜視図、図２は、図１の取り付け部分を拡大して示す断面図、図３は、ダンパーを拡大して示す斜視図である。
ハードディスク装置１を内蔵したＡＶ機器等の記録再生装置、情報処理装置等の電子機器において、ハードディスク装置１はフレーム２の側板２ａに取り付けネジ４を用いて取り付けられる。ハードディスク装置１とフレーム２間には、フレーム側からハードディスク装置１に伝達される振動や衝撃を緩和し、またハードディスク装置１から発生する振動がフレーム２側に伝わらないようにするため、ハードディスク装置１とフレーム２間にダンパー３が設置される。
【００２４】
実施例１のハードディスク装置とフレームの取り付け構造において用いられるダンパー３は、図３に示すような構成で、ラジアル方向の振動・衝撃を緩和する第１緩衝部３ａ、スラスト方向の振動・衝撃を緩和する第２緩衝部３ｂ、及びハードディスク装置３の底部に所定の隙間６を確保するための受け部３ｃからなる。第１緩衝部３ａは、組立て時にフレーム２に装着する作業を能率的に行えるよう円柱形状または多角柱形状の筒形状緩衝部に形成されており、筒形状緩衝部の中心部に取り付けネジ４を通すための取り付けネジ用穴３ｄが貫通している。第２緩衝部３ｂは、受け部３ｃから立ち上がる板状緩衝部であって、板状緩衝部（第２緩衝部３ｂ）の上部から筒形状緩衝部（第１緩衝部３ａ）が突設した構成である。
このダンパー３は、図１に示すように取り付けフレーム２に必要数装着（図１の例は４個装着を想定しているが、図示は３個とし陰線になる１個は省略している）した後、ハードディスク装置１を位置合わせし、取り付けネジ４で取り付ける。
【００２５】
ダンパー３はゴムやエラストマ樹脂により形成されるため、摩擦係数が高く、取り付けネジ４と接触するダンパー３の第１緩衝部３ａの先端が捻れ・変形することが考えられるが、これは取り付けネジ４に平ワッシャ５を嵌挿して締め込むか、または平ワッシャが組み込まれた座付きネジを使用することにより解決することができる。
【００２６】
図２は、ハードディスク装置１の取り付け状態の部分断面を示し、フレーム２に装着されたダンパー３はハードディスク装置１を載せた状態で、その質量とダンパー３の受け部３ｃの弾性反発力が均衡し、取り付けネジ用穴３ｄの中心とハードディスク装置１の側面板１ａに設けられた取り付け用ネジ穴１ｂの中心が一致する。したがって、取り付けネジ４はネジ位置を合わせる必要もなく、最も簡易な方法で締付けることが可能になる。
【００２７】
そして、この状態でハードディスク装置１の底部とフレーム２の底面２ｃ間に空気流路となる所定の隙間６が確保される。なお、ダンパー３は第１緩衝部３ａである筒形状緩衝部をフレーム２に形成した取り付け穴２ｂに装着した後、取り付け作業等による脱落を防止するため、受け部３ｃの下面に凸部３ｅを設け、フレーム２の底面２ｃに形成された貫通孔２ｄに挿入する。
【００２８】
受け部３ｃの下面に形成された凸部３ｅがフレーム２に形成された貫通孔２ｄから下方に突出することにより、ハードディスク装置１の底面とフレーム２の底面２ｃ間、及び底面２ｃの下面と装置設置面（床面）との間によって二重の空間が形成され、ハードディスク装置１が発生する振動を低減することになる。
【００２９】
また、凸部３ｅの任意の位置に引っ掛け用ツメ部３ｆを設けると、凸部３ｅをフレーム２に形成された貫通孔２ｄに挿入して嵌合させたとき、ツメ部３ｆが貫通孔２ｄの口縁に係合し、凸部３ｅが貫通孔２ｄから妄りに抜け出すことがないようになっている。
【００３０】
なお、実施例１においては、ディスク駆動装置は大記憶容量を有する磁気記録再生装置であるハードディスク装置の例を示したが、ハードディスク装置に限らずＤＶＤ駆動装置、ＣＤ−ＲＯＭ駆動装置等であっても、同様に実施することができ、同様の作用効果を奏することができる。
【図面の簡単な説明】
【００３１】
【図１】実施例１のハードディスク装置とフレームの取り付け構造を示す斜視図である。
【図２】図１の取り付け部分を拡大して示す断面図である。
【図３】ダンパーを拡大して示す斜視図である。
【図４】従来例におけるハードディスク装置とフレームの取り付け構造を示す斜視図である。
【図５】図４の取り付け部分を拡大して示す断面図である。
【図６】ダンパーを拡大して示す斜視図である。
【符号の説明】
【００３２】
１…ハードディスク装置、１ａ…側面板、１ｂ…取り付け用ネジ穴、２…フレーム、２ａ…側板、２ｂ…取り付け穴、２ｃ…底面、２ｄ…貫通孔、３…ダンパー、３ａ…第１緩衝部、３ｂ…第２緩衝部、３ｃ…受け部、３ｄ…取り付けネジ用穴、３ｅ…凸部、３ｆ…ツメ部、４…取り付けネジ、５…平ワッシャ、６…隙間、１１…ハードディスク装置、１２…フレーム、１３…ダンパー、１３ａ…環状溝、１３ｂ…取り付けネジ用穴、１４…取り付けネジ、１５…平ワッシャ、１６…隙間。
【図１】
2006107661.tif 000003
【図２】
2006107661.tif 000004
【図３】
2006107661.tif 000005
【図４】
2006107661.tif 000006
【図５】
2006107661.tif 000007
【図６】
2006107661.tif 000008